(57)【要約】【課題】機器本体に対してリング状部材が着脱可能に装着されている電子機器において、着脱機構の簡易化を図る。【解決手段】本発明に係る電子機器において、リング状部材２には、その周方向にずれた位置に、複数の係合片２２が突設される一方、機器本体１には、前記係合片２２がそれぞれ係合すべき複数の係合受け部１２が形成されており、リング状部材２を一方向に挟圧してリング状部材を弾性変形させる操作と、リング状部材２に対する挟圧を解除してリング状部材を弾性復帰させる操作によって、係合片２２を係合受け部１２に対して係脱させることが可能である。【選択図】図２
2012159639.tif 000002
【特許請求の範囲】
【請求項１】
機器本体に対してリング状部材が着脱可能に装着されている電子機器において、前記リング状部材には、その周方向にずれた位置に、複数の係合片が突設される一方、機器本体には、前記係合片がそれぞれ係合すべき複数の係合受け部が形成されており、リング状部材を一方向に挟圧してリング状部材を弾性変形させる操作と、リング状部材に対する挟圧を解除してリング状部材を弾性復帰させる操作によって、前記係合片を係合受け部に対して係脱させることが可能であることを特徴とする電子機器。
【請求項２】
前記リング状部材は円筒体を呈している請求項１に記載の電子機器。
【請求項３】
前記複数の係合片は、前記リング状部材の筒軸を中心として１８０度の角度差を有する２つの位置に突設されている請求項２に記載の電子機器。
【請求項４】
前記リング状部材には、前記２つの位置とは９０度ずれた２つの位置に、リング状部材のその位置での断面積を縮小する切り欠きがそれぞれ形成されている請求項３に記載の電子機器。
【請求項５】
前記機器本体はカメラ本体であって、該カメラ本体に配備された撮影レンズを包囲して、前記リング状部材が着脱可能に装着され、該リング状部材は円筒体を呈し、その内周面に内ネジが形成されている請求項１乃至請求項４の何れかに記載の電子機器。
【請求項６】
前記係合片は、先端が前記リング状部材の内側へ向けてＬ字状に屈曲するフック片によって形成される一方、前記係合受け部は、リング状部材が装着されるべきリング状部分の内側へ向けて凹むフック受け凹部によって形成されている請求項１乃至請求項５の何れかに記載の電子機器。
【請求項７】
電子機器に装着することが可能なリング状部材において、リング状本体と、リング状本体の周方向にずれた位置に突設された複数の係合片とを具え、リング状本体を一方向に挟圧してリング状本体を弾性変形させる操作と、リング状本体に対する挟圧を解除してリング状本体を弾性復帰させる操作によって、装着相手となる電子部品に形成された係合受け部に対して前記係合片を係脱させることが可能であることを特徴とするリング状部材。
【発明の詳細な説明】
【技術分野】
【０００１】
本発明は、機器本体に対してアダプターリング等のリング状部材を着脱可能に装着してなる電子機器、及び電子機器に装着可能なリング状部材に関するものである。
【背景技術】
【０００２】
従来、光学フィルター等の補助光学部品をカメラ本体に装着するために、カメラ本体にアダプターリングを取り付け、該アダプターリングの内周面に形成された内ネジに対して補助光学部品をねじ込む構造が採用されている。
【０００３】
カメラ本体にアダプターリングを取り付けるための構造としては、一般に、バネによって一方向に付勢された可動式のフック片をアダプターリングに配備する一方、カメラ本体には前記フック片が係合すべきフック受け部を形成してなるフック機構が採用されている(特許文献１)。
【０００４】
カメラ本体にアダプターリングを取り付ける際には、前記バネに抗してフック片をロック解除位置まで移動させた状態で、アダプターリングをカメラ本体に装着し、その状態で、前記バネの付勢によりフック片をロック位置まで移動させることによって、フック片を係合受け部に係合させる。
【先行技術文献】
【特許文献】
【０００５】
【特許文献１】特開平６−５１３８６号公報
【発明の概要】
【発明が解決しようとする課題】
【０００６】
しかしながら、カメラ本体にアダプターリングを取り付けるための着脱機構として上述のフック機構を採用した場合、フック片を可動構造とすると共に、該フック片を一方向に付勢するバネを配備する必要があり、これによって構造が複雑となる問題があった。
【０００７】
そこで本発明の目的は、機器本体に対してリング状部材を着脱可能に装着してなる電子機器において、着脱機構の簡易化を図ることである。
【課題を解決するための手段】
【０００８】
本発明に係る電子機器においては、機器本体に対してリング状部材が着脱可能に装着されており、リング状部材には、その周方向にずれた位置に、複数の係合片が突設される一方、機器本体には、前記係合片がそれぞれ係合すべき複数の係合受け部が形成されており、リング状部材を一方向に挟圧してリング状部材を弾性変形させる操作と、リング状部材に対する挟圧を解除してリング状部材を弾性復帰させる操作によって、前記係合片を係合受け部に対して係脱させることが可能である。
【０００９】
上記電子機器において、機器本体に対してリング状部材を取り付けるときは、リング状部材を一方向に挟圧し、リング状部材を弾性変形によって湾曲させる。これによって、リング状部材の複数の係合片がリング状部材の内側若しくは外側に向かって弾性変位することになる。この状態で、リング状部材を機器本体に装着し、リング状部材の挟圧を解除する。
この結果、リング状部材が弾性復帰し、これに伴って、リング状部材の複数の係合片が機器本体の複数の係合受け部にそれぞれ係合し、これによってリング状部材が機器本体に係止されることになる。
【００１０】
機器本体からリング状部材を取り外すときは、リング状部材を一方向に挟圧し、リング状部材を弾性変形させる。これによって、リング状部材の複数の係合片が弾性変位することになる。これに伴って、リング状部材の複数の係合片が機器本体の複数の係合受け部からそれぞれ離脱する。
この状態で、リング状部材を機器本体から取り外し、リング状部材の挟圧を解除する。これによって、リング状部材が弾性復帰する。
【００１１】
具体的態様において、前記リング状部材は円筒体を呈し、その内周面に内ネジが形成されている。
該具体的態様によれば、機器本体にリング状部材を装着した状態で、該リング状部材の内ネジに、各種若しくは特定の部品、部材、器具等をねじ込むことが出来る。
【００１２】
又、具体的態様において、前記複数の係合片は、前記リング状部材の筒軸を中心として１８０度の角度差を有する２つの位置に突設されている。
この場合、前記２つの位置とは９０度ずれた２つの位置にて、リング状部材を挟圧して、リング状部材を楕円状に湾曲させる。
【００１３】
他の具体的態様において、前記リング状部材には、前記２つの位置とは９０度ずれた２つの位置に、リング状部材のその位置での断面積を縮小する切り欠きがそれぞれ形成されている。
これによって、リング状部材の弾性変形が容易なものとなる。
【００１４】
更に具体的な態様において、前記係合片は、先端が前記リング状部材の内側へ向けてＬ字状に屈曲するフック片によって形成される一方、前記係合受け部は、リング状部材が装着されるべきリング状部分の内側へ向けて凹むフック受け凹部によって形成されている。
この場合、リング状部材を着脱する際には、各フック片をフック受け凹部から脱出させる方向に、リング状部材を湾曲させる。
【００１５】
又、本発明に係るリング状部材は、電子機器に装着することが可能なリング状部材であって、リング状本体と、リング状本体の周方向にずれた位置に突設された複数の係合片とを具え、リング状本体を一方向に挟圧してリング状本体を弾性変形させる操作と、リング状本体に対する挟圧を解除してリング状本体を弾性復帰させる操作によって、装着相手となる電子部品に形成された係合受け部に対して前記係合片を係脱させることが可能である。
【発明の効果】
【００１６】
本発明に係る電子機器及び電子機器に装着可能なリング状部材によれば、機器本体に対してリング状部材を着脱可能に装着するための機構として、リング状部材全体の弾性変形を利用した着脱機構が採用されているので、従来の着脱機構におけるフック片の可動構造やフック片を付勢するバネは不要となり、これによって着脱機構の簡易化が実現される。
【図面の簡単な説明】
【００１７】
【図１】図１は、本発明の一実施形態であるカメラの斜視図である。
【図２】図２は、該カメラにおいてカメラ本体からアダプターリングを取り外した状態を示す分解斜視図である。
【図３】図３は、該カメラの一使用形態を示す図である。
【図４】図４は、該カメラにおいてカメラ本体にアダプターリングを取り付ける際の操作を説明する側面図である。
【図５】図５は、アダプターリングの他の実施形態を示す側面図である。
【発明を実施するための形態】
【００１８】
以下、本発明をカメラに実施した形態につき、図面に沿って具体的に説明する。
本発明の一実施形態であるカメラは、図１及び図２に示す如く、シャッター釦(13)及び撮影レンズ(10)を具えたカメラ本体(１)に対して、合成樹脂製のアダプターリング(２)を着脱可能に装着して構成される。
【００１９】
図２の如く、カメラ本体(１)には、撮影レンズ(10)を包囲して、リング状のマウント部(11)が形成されており、該マウント部(11)に対してアダプターリング(２)が装着される。
アダプターリング(２)には、円筒体を呈するリング状本体(20)の内周面に内ネジ(21)が形成されており、図１の如くカメラ本体(１)にアダプターリング(２)が取り付けられた状態で、該アダプターリング(２)の内ネジ(21)に、光学フィルター、コンバージョンレンズ、レンズフード等の部品若しくは部材や、接写撮影用のストロボ発光器等の器具をねじ込んで装着することが出来る。
【００２０】
又、カメラ本体(１)にアダプターリング(２)を取り付けた状態で、図３に示す如くアダプターリング(２)の開口縁を被写体の周囲に接触させて設置することにより、カメラ本体(１)の被写体との距離Ｓを固定して、被写体の撮影、特に接写を行なうことが出来る。
【００２１】
カメラ本体(１)にアダプターリング(２)を取り付けるための構造として、具体的には、図２及び図４に示す如く、アダプターリング(２)には、リング状本体(20)の背面に、１８０度の角度位相差で２つのフック片(22)(22)が一体成型によって一体に突設される一方、カメラ本体(１)には、マウント部(11)の外周面に、前記２つのフック片(22)(22)がそれぞれ係合すべき２つのフック受け凹部(12)(12)が形成されている。
【００２２】
尚、図示する例では、２つのフック受け凹部(12)(12)は、マウント部(11)の中心を通過する鉛直の直径線と交差する２つの位置、即ちマウント部(11)の上端部と下端部に配置されている。
【００２３】
図４の如く、アダプターリング(２)のフック片(22)は、先端がカメラ本体(１)側へ向けて突出すると共にリング状本体(20)の内側へ向けて屈曲するＬ字状を呈している。
一方、カメラ本体(１)のフック受け凹部(12)は、マウント部(11)の内側へ向けて凹んでおり、フック片(22)の先端部が係合することが可能となっている。
【００２４】
カメラ本体(１)に対してアダプターリング(２)を取り付けるときは、図２中に矢印Ｐで示す様に、２つのフック片(22)(22)と９０度ずれた２つの位置にて、アダプターリング(２)を挟圧する。
【００２５】
これによって、アダプターリング(２)が弾性変形して、鉛直方向を長軸とする楕円状に湾曲し、図４中に２点鎖線で示す様に、上側のフック片(22)が上方へ、下側のフック片(22)が下方へ弾性変位することになる。
この状態で、アダプターリング(２)をカメラ本体(１)のマウント部(11)に装着し、アダプターリング(２)の挟圧を解除する。
【００２６】
この結果、アダプターリング(２)が弾性復帰し、これに伴って、アダプターリング(２)の２つのフック片(22)(22)がカメラ本体(１)の２つのフック受け凹部(12)(12)にそれぞれ係合し、これによって、図１の如くアダプターリング(２)がカメラ本体(１)に係止されることになる。
【００２７】
カメラ本体(１)からアダプターリング(２)を取り外すときは、アダプターリング(２)を図２中の矢印Ｐと同じ方向に挟圧し、アダプターリング(２)全体を弾性変形させる。
尚、カメラ本体(１)のマウント部(11)とアダプターリング(２)との間には、アダプターリング(２)の装着状態でアダプターリング(２)の弾性変形を許容する隙間が設けられている。
【００２８】
上述の如くアダプターリング(２)が弾性変形することによって、２つのフック片(22)(22)が、図４中に２点鎖線の矢印で示す方向へ弾性変位することになる。これに伴って、アダプターリング(２)の２つのフック片(22)(22)がカメラ本体(１)の２つのフック受け凹部(12)(12)からそれぞれ離脱する。
この状態で、アダプターリング(２)をカメラ本体(１)から取り外し、アダプターリング(２)の挟圧を解除する。これによって、アダプターリング(２)が元の形状に弾性復帰する。
【００２９】
上記カメラによれば、カメラ本体(１)に対してアダプターリング(２)を着脱可能に装着するための機構として、アダプターリング(２)全体の弾性変形を利用した着脱機構が採用されているので、従来の着脱機構におけるフック片の可動構造やフック片を付勢するバネは不要となり、これによって着脱機構の簡易化が実現される。
【００３０】
又、カメラ本体(１)に装着されたアダプターリング(２)に部品、部材若しくは器具をねじ込んだ状態では、着脱時に生じさせるアダプターリング(２)の弾性変形が制限されるので、アダプターリング(２)がカメラ本体(１)から外れ難くなる効果が得られる。
【００３１】
尚、本発明の各部構成は上記実施の形態に限らず、特許請求の範囲に記載の技術的範囲内で種々の変形が可能である。例えば、図５に示す如く、アダプターリング(２)には、２つのフック片(22)(22)とは９０度ずれた２つの位置に、リング状本体(20)のその位置での断面積を縮小する切り欠き(23)(23)を形成することによって、アダプターリング(２)の弾性変形をより容易なものとすることが出来る。
【００３２】
又、フック片(22)とフック受け凹部(12)のペアの数は２つに限らず、３以上の複数であってもよい。この場合、アダプターリング(２)の弾性変形によって大きな弾性変位を生じる位置にフック片(22)を配置することが望ましい。
【００３３】
又、フック片(22)のフック受け凹部(12)に対する係合方向は上記実施形態の如くアダプターリング(２)の内側方向に限らず、アダプターリング(２)の外側方向とすることも可能である。この場合、フック片(22)はアダプターリング(２)の外側へ向けて突設すると共に、カメラ本体(１)のフック受け凹部(12)は、フック片(22)の突設方向、即ちマウント部(11)の外側へ向けて凹設する。
この様なアダプターリング(２)の着脱に際しては、フック片(22)(22)の突設位置にてアダプターリング(２)を挟圧する。
【００３４】
又、アダプターリング(２)に替えて、種々の電子機器における様々なリング状部材の着脱機構、例えば装飾用のリング状部材の着脱機構に本発明を実施することも可能である。
更に、リング状部材は、円筒体に限らず、例えば楕円のリング状体や多角形の枠状体であってもよい。
【００３５】
更に又、アダプターリング(２)のフック片(22)は一体成型に限らず、別部材として作製したものをリング状本体(20)に接着することも可能である。
【符号の説明】
【００３６】
(１)  カメラ本体
(10)  撮影レンズ
(11)  マウント部
(12)  フック受け凹部
(２)  アダプターリング
(20)  リング状本体
(21)  内ネジ
(22)  フック片
【図１】
2012159639.tif 000003
【図２】
2012159639.tif 000004
【図３】
2012159639.tif 000005
【図４】
2012159639.tif 000006
【図５】
2012159639.tif 000007